(57)【要約】【課題】  パチンコ球を使用してスロット遊技を行う遊技機を遊技機ホールのパチンコ機用島設備に設置可能に構成する。【解決手段】  外枠１０と、本体枠７０と、機械式図柄回転装置１１０を有する遊技ユニット１００と、開閉扉２１と、遊技機の前側に多数個のパチンコ球を保留する球受け皿２６と、を備える。遊技機の前側には、球受け皿２６に保留されているパチンコ球を所定数投入する球投入ボタン４０と、機械式図柄回転装置１１０の複数の図柄表示回転体１１１の回転を始動する始動レバー４１と、複数の図柄表示回転体１１１の回転をそれぞれ個別に停止させる複数のストップボタン４２、４３、４４が手動操作可能に配置される。開閉扉２１の開口窓２３を透して視認される表示部に複数の図柄表示回転体１１１の図柄列が予め設定された当たり図柄列を表示して停止したときに所定数のパチンコ球が球払出装置１６６によって球受け皿２６に払い出される。【選択図】        図１
2006320480.tif 000002
【特許請求の範囲】
【請求項１】
外枠と、その外枠の前側にヒンジ機構によって開閉可能に装着された合成樹脂製の本体枠と、その本体枠の略中央部に装着されかつ機械式図柄回転装置を有する遊技ユニットと、前記本体枠の前側に開閉可能に装着されかつ前記機械式図柄回転装置を透視可能な開口窓を有する開閉扉と、遊技機の前側に設けられかつ多数個のパチンコ球を保留する球受け皿と、を備え、
遊技機の前側には、前記球受け皿に保留されているパチンコ球を所定数投入する球投入ボタンと、前記機械式図柄回転装置の複数の図柄表示回転体の回転を始動する始動レバーと、前記機械式図柄回転装置の複数の図柄表示回転体の回転をそれぞれ個別に停止させる複数のストップボタンと、がそれぞれ手動操作可能に配置され、
前記開閉扉の開口窓を透して視認される表示部に前記複数の図柄表示回転体が予め設定された当たり図柄列を表示して停止したときに所定数のパチンコ球が球払出装置によって前記球受け皿に払い出されるように構成されていることを特徴とする遊技機。
【発明の詳細な説明】
【技術分野】
【０００１】
この発明はパチンコ球を使用してスロット遊技を行う遊技機に関する。
【背景技術】
【０００２】
従来、パチンコ球を使用してスロット遊技（スロットマシンで行われる遊技に似た遊技のことをいう）を行う遊技機においては、球受け皿に保留されているパチンコ球を所定数投入する球投入ボタンと、機械式図柄回転装置（複数の図柄表示回転体を備えている）を始動する始動レバーと、機械式図柄回転装置の複数の図柄表示回転体を個別に停止させる複数のストップボタンとが遊技機の前側にそれぞれ手動操作可能に配置されている。
そして、機械式図柄回転装置の複数の図柄表示回転体の外周面に表示された表示部のうち、前側に表示された図柄列が予め設定された当たり図柄列を表示して停止したときに所定数のパチンコ球が球払出装置によって球受け皿に払い出されるように構成されている。
また、このような遊技機においては、例えば、特許文献１、２等に開示されたものが知られている。
特許文献１に開示されたものにおいては、外枠の前側にヒンジ機構によって開閉可能に装着された合成樹脂製の本体枠の略中央部に遊技盤装着部が形成され、その遊技盤装着部に、スロット遊技に対応する機械式図柄回転装置を備えた遊技盤ユニットが着脱可能に装着されている。
遊技盤ユニットは、中央部に角孔状の開口窓が形成され方形枠状の遊技盤と、その遊技盤の後側に装着され、かつ遊技盤の開口窓に望んで複数（例えば３つ）の図柄表示回転体が横方向に配列された機械式図柄回転装置とを備えている。
そして、遊技ユニットの後側に主制御基板ボックス、副制御基板ボックス等が装着されている。
また、本体枠の後側には、別体の機構板がヒンジ機構によって開閉可能に装着され、その機構板の上部に球タンクとタンクレールとが設けられ、片側部に球払出装置が設けられるようになっている。
特許文献２に開示されたものにおいては、外枠の前側にヒンジ機構によって開閉可能に装着された前面枠に内枠部材が固定され、その内枠部材にベルトユニット（機械式図柄回転装置に相当する）が設置されている。
ベルトユニットは、支持フレーム内に軸支された駆動、従動のローラ間に掛け渡された複数の無端状ベルトよりなる図柄表示回転体を備えている。
【０００３】
【特許文献１】特開２００４−２１６１４１号公報
【特許文献２】特開２００４−８１４５２号公報
【発明の開示】
【発明が解決しようとする課題】
【０００４】
ところで、遊技機ホールのパチンコ機用島設備には、通常のパチンコ機が、その外枠において固定されて設置される。言い換えると、パチンコ機用島設備に設置可能な奥行き寸法の範囲内で、パチンコ機の奥行き寸法が設定されている。
一方、パチンコ球を使用してスロット遊技を行う遊技機においては、その本体枠の略中央部に、複数（例えば３つ）の図柄表示回転体を有する機械式図柄回転装置が配設されるため、奥行き寸法が大きくなり、パチンコ機用島設備に設置できななくなる場合がある。
このため、前記特許文献１及び２に開示された遊技機においては、その機械式図柄回転装置を構成する複数の図柄表示回転体が無端状のベルトによって形成されるとともに、前後方向に扁平状にされた状態で上下のローラ、あるいはスプロケットの間に掛け渡されて構成され、これによって、遊技機の奥行き寸法（外枠の前端から遊技機の後端までの距離寸法）を小さくするようになっている。
しかしながら、複数の図柄表示回転体を形成する無端状のベルトは、ローラ、あるいはスプロケットのトルクが作用し、長期間の使用によって不測に伸長されたり、あるいは破れる場合があり、耐久性に問題点があった。
また、本体枠の後側に、機械式図柄回転装置を備えた遊技ユニット、主制御基板ボックス、副制御基板ボックス、球タンク、タンクレール、球払出装置等の各種遊技構成装置、遊技構成部材等を装着すると、遊技機の後側に露出する各種遊技構成装置、遊技構成部材等の後面の凹凸差が著しく大きくなり、遊技機を運搬したり、保管する場合等において、遊技機の後側に大きく突出する遊技構成装置、遊技構成部材の後面に異物が衝突して破損されやすくなる等の問題点もあった。
【０００５】
この発明の目的は、前記問題点に鑑み、パチンコ球を使用してスロット遊技を行う遊技機において、遊技ユニットの機械式図柄回転装置の複数の図柄表示回転体を円形リールによって構成することで耐久性の向上を図リながら、遊技機ホールのパチンコ機用島設備に設置可能な奥行き寸法に抑えることができ、しかも、遊技機の後側に露出する各種遊技構成装置、遊技構成部材等の後端の凹凸差を小さくして遊技機の運搬、保管を容易化することができる遊技機を提供することである。
【課題を解決するための手段】
【０００６】
前記目的を達成するために、請求項１の発明に係る遊技機は、
「遊技機ホールのパチンコ機用島設備に設置される外枠と、その外枠の前側にヒンジ機構によって開閉可能に装着された合成樹脂製の本体枠と、その本体枠の略中央部に装着されかつ機械式図柄回転装置を有する遊技ユニットと、前記本体枠の前側に開閉可能に装着されかつ前記機械式図柄回転装置を透視可能な開口窓を有する開閉扉と、遊技機の前側に設けられかつ多数個のパチンコ球を保留する球受け皿と、を備え、
遊技機の前側には、前記球受け皿に保留されているパチンコ球を所定数投入する球投入ボタンと、前記機械式図柄回転装置の複数の図柄表示回転体の回転を始動する始動レバーと、前記機械式図柄回転装置の複数の図柄表示回転体の回転をそれぞれ個別に停止させる複数のストップボタンと、がそれぞれ手動操作可能に配置され、
前記開閉扉の開口窓を透して視認される表示部に前記複数の図柄表示回転体が予め設定された当たり図柄列を表示して停止したときに所定数のパチンコ球が球払出装置によって前記球受け皿に払い出されるように構成された遊技機であって、
前記本体枠の略中央部には、前記遊技ユニットが装着される遊技ユニット装着部が前記パチンコ機用島設備に設置可能な奥行き寸法の範囲内で後方に突出されて一体成形され、
前記本体枠の後側には、前記遊技ユニット装着部の上に位置してタンク装着部とタンクレール装着部が上下に隣接して横長状に凹設され、前記遊技ユニット装着部の片側には、球払出装置装着部が縦長状に凹設され、
前記タンク装着部には、前記パチンコ機用島設備のパチンコ供給口から供給されるパチンコ球を受けてそのパチンコ球を貯留する球タンクが装着され、
前記タンクレール装着部には、前記球タンクの下方に連通するタンクレールが装着され、
前記球払出装置装着部には、前記タンクレールの下流端に連通する球通路を有する球払出装置が装着され、
前記球タンク、前記レール構成部材及び前記球払出装置の装着状態において、それぞれの後端が前記遊技ユニット装着部の後端から後方に突出されることがないように設定され、
しかも、前記遊技ユニットは、回転体収納フレーム内に回転可能に装着されかつ円形リールよりなる複数の図柄表示回転体が横方向に配列されて構成された機械式図柄回転装置と、
前記回転体収納フレームの外側に装着され、かつ前記機械式図柄回転装置を制御する制御基板を有する制御基板ボックスと、を備えて一つにユニット化され、
前記本体枠の遊技ユニット装着部の前側から前記遊技ユニットが装着された状態において、遊技機の最後端位置が前記遊技ユニット装着部の後端又はその近傍に存在するように設定されていることを特徴とする遊技機。」
を要旨とする。
【０００７】
前記構成において、遊技機の前側に手動操作可能に配置された球投入ボタン、始動レバー、ストップボタンのうち、まず、球投入ボタン（掛け数設定ボタン）を操作する。すると、球受け皿に保留されているパチンコ球が所定数（掛け数に応じた数）だけ投入される。パチンコ球が所定数投入されたことを条件として始動レバーを操作すると、機械式図柄回転装置の複数の図柄表示回転体の回転が始動する。ここで、複数の図柄表示回転体に対応するストップボタンをそれぞれ個別に操作して、複数の図柄表示回転体の回転を停止させることによって１ゲームのスロット遊技が行われる。
そして、開閉扉の開口窓を透して視認される表示部に複数の図柄表示回転体が予め設定された当たり図柄列を表示して停止したときに所定数のパチンコ球が球払出装置によって球受け皿に払い出される。
前記したようにしてパチンコ球を使用してスロット遊技を行うように構成した遊技機において、合成樹脂製の本体枠の略中央部に一体成形された遊技ユニット装着部は、パチンコ機用島設備に設置可能な奥行き寸法の範囲内で後方に突出されており、その遊技ユニット装着部の前側から遊技ユニットが装着される。
一方、本体枠の後側において、その遊技ユニット装着部の後端から後方に突出させることなく、同遊技ユニット装着部の上部から片側にわたって、球タンク、タンクレール及び球払出装置が配置される。
さらに、遊技ユニットは、回転体収納フレームと、回転体収納フレーム内に回転可能に装着されかつ円形リールよりなる複数の図柄表示回転体が横方向に配列されて構成された機械式図柄回転装置と、回転体収納フレームの外側に装着され、かつ機械式図柄回転装置を制御する制御基板を有する制御基板ボックスと、を備えて一つにユニット化されている。そして、本体枠の遊技ユニット装着部の前側から遊技ユニットが装着された状態において、遊技機の最後端位置が遊技ユニット装着部の後端又はその近傍に存在するように設定されている。
このようにして、機械式図柄回転装置の複数の図柄表示回転体を円形リールによって構成することで耐久性の向上を図リながら、遊技機の最後端位置を遊技ユニット装着部の後端又はその近傍に存在するように設定するとともに、遊技ユニット装着部の上方及び側方を凹状として球タンク、タンクレール及び球払出装置を装着する構成にすることで、遊技機の奥行き寸法を、遊技機ホールのパチンコ機用島設備に設置可能な奥行き寸法の範囲内に抑えることができ、遊技機ホールのパチンコ機用島設備に容易に設置することができる。
しかも、遊技機の後側に露出する各種遊技構成装置、遊技構成部材（遊技ユニット装着部、球タンク、タンクレール、球払出装置等の各種遊技構成装置、遊技構成部材）の後端の凹凸差を小さくして略面一化することができ、遊技機の運搬、保管を容易化することができる。
【０００８】
請求項２の発明に係る遊技機は、
「請求項１に記載の遊技機であって、
遊技ユニットは、機械式図柄回転装置の回転体収納フレーム及び制御基板ボックスを一括的に収納する前方に開口する箱形状の収納ボックスを備えて一つにユニット化される一方、
本体枠の遊技ユニット装着部は、その前側から前記遊技ユニットの収納ボックスが嵌込まれる枠形状又は前方に開口する箱形状に形成され、
前記遊技ユニット装着部の後端には、前記収納ボックスの後端に接近又は当接してその嵌込みを制限するストッパ部が設けられ、
前記遊技ユニット装着部の前側開口部には、前記収納ボックスの前端に係脱可能に係合して前記遊技ユニットを装着状態に保持する留め具が設けられていることを特徴とする遊技機。」
を要旨とする。
【０００９】
前記構成において、前方に開口する箱形状の収納ボックス内に、機械式図柄回転装置の回転体収納フレーム及び制御基板ボックスが一括的に収納されることで一つにユニット化された遊技ユニットが構成される。
このため、遊技ユニットを単体として容易に取り扱うことができるとともに、箱形状の収納ボックスによって平坦な床面等に安定よく載置することができ、不測に倒れて損傷されることを防止することがことができる。
また、本体枠の遊技ユニット装着部に遊技ユニットを装着する場合、枠形状又は前方に開口する箱形状に形成された遊技ユニット装着部の前側開口部から遊技ユニットを、その収納ボックスにおいて嵌込み、その収納ボックスの後端が遊技ユニット装着部の後端のストッパ部に接近又は当接する位置まで嵌込んだところで、留め具によって収納ボックスの前端を係止させることで、遊技ユニット装着部に遊技ユニットを容易にかつ安定よく装着することができる。
【００１０】
請求項３の発明に係る遊技機は、
「請求項１に記載の遊技機であって、
遊技ユニットは、機械式図柄回転装置の回転体収納フレーム及び制御基板ボックスを一括的に収納する前方に開口する箱形状の収納ボックスを備えて一つにユニット化される一方、
本体枠の遊技ユニット装着部は、その前側から前記遊技ユニットの収納ボックスが嵌込まれる枠形状又は前方に開口する箱形状に形成され、
しかも、前記遊技ユニット装着部は、その内周壁が角張った形状に形成される一方、
前記収納ボックスの外郭形状は、前記遊技ユニット装着部に対応する角張った外郭形状に形成されていることを特徴とする遊技機。」
を要旨とする。
【００１１】
前記構成において、内周壁が角張った形状に形成された遊技ユニット装着部の前側から遊技ユニットの角張った外郭形状に形成された収納ボックスが嵌込まれて装着される。
これによって、遊技ユニット装着部に遊技ユニットの収納ボックスをその角張った部分において正確に位置決めして装着することができるとともに、収納ボックスのガタツキを防止することができる。
【００１２】
請求項４の発明に係る遊技機は、
「遊技機ホールのパチンコ機用島設備に設置される外枠と、その外枠の前側にヒンジ機構によって開閉可能に装着された合成樹脂製の本体枠と、その本体枠の略中央部に装着されかつ機械式図柄回転装置を有する遊技ユニットと、前記本体枠の前側に開閉可能に装着されかつ前記機械式図柄回転装置を透視可能な開口窓を有する開閉扉と、遊技機の前側に設けられかつ多数個のパチンコ球を保留する球受け皿と、を備え、
前記遊技機の前側には、前記球受け皿に保留されているパチンコ球を所定数投入する球投入ボタンと、前記機械式図柄回転装置の複数の図柄表示回転体の回転を始動する始動レバーと、前記機械式図柄回転装置の複数の図柄表示回転体の回転をそれぞれ個別に停止させる複数のストップボタンと、がそれぞれ手動操作可能に配置され、
前記開閉扉の開口窓を透して視認される表示部に前記複数の図柄表示回転体が予め設定された当たり図柄列を表示して停止したときに所定数のパチンコ球が球払出装置によって前記球受け皿に払い出されるように構成された遊技機であって、
前記本体枠の略中央部には、前記遊技ユニットが前方から嵌込まれて装着される箱形状の遊技ユニット装着部が前記パチンコ機用島設備に設置可能な奥行き寸法の範囲内で後方に突出されて一体成形され、
前記本体枠の後側には、前記遊技ユニット装着部の上に位置して横長状をなすとともに前後方向に階段状に凹みかつその上段部分にタンク支持部を有するタンク装着部が、下段部分に横断面略Ｌ字状をなすタンクレール装着部が形成されるとともに、前記遊技ユニット装着部の片側には、球払出装置装着部が縦長状に凹設され、
前記タンク装着部には、そのタンク支持部によって支持されかつ前記パチンコ機用島設備のパチンコ供給口から供給されるパチンコ球を受けてそのパチンコ球を貯留する球タンクが装着され、
前記タンクレール装着部には、前記球タンクの下方に連通するタンクレールが装着され、
前記球払出装置装着部には、前記タンクレールの下流端に連通する球通路を有する球払出装置が装着され、
前記遊技ユニット装着部の下方に位置する本体枠の下部領域の後側には、左右に所定間隔を隔てて基板ボックス装着部が形成され、これら基板ボックス装着部には異なる基板ボックスが装着され、
前記本体枠の下部領域の左右方向略中央部には、同本体枠の前面から後方に向かって延びかつ周壁部と後壁部とを有して前方に開口する箱形状のスピーカボックスが一体に形成され、
前記スピーカボックスの前側開口部には、同開口部を塞ぐようにしてスピーカが装着されるとともに、前記スピーカの振動板の後側と前記スピーカボックスの後壁部との間に構成された空間部を音響室とし、
前記スピーカボックスの後壁部は、前記左右の両基板ボックス装着部の間に位置し、かつこれら基板ボックス装着部に装着された基板ボックスの後面近傍まで突出し、
前記球タンク、前記レール構成部材、前記球払出装置、及び基板ボックスの装着状態において、それぞれの後面が前記遊技ユニット装着部の後端から後方に突出されることがないように設定され、
しかも、前記遊技ユニットは、回転体収納フレーム内に回転可能に装着されかつ円形リールよりなる複数の図柄表示回転体が横方向に配列されて構成された機械式図柄回転装置と、
前記回転体収納フレームの外側に装着され、かつ前記機械式図柄回転装置を制御する制御基板を有する制御基板ボックスと、
前記機械式図柄回転装置の回転体収納フレーム及び前記制御基板ボックスを一括的に収納する前方に開口する箱形状の収納ボックスと、
を備えて一つにユニット化され、
前記本体枠の遊技ユニット装着部の前側から前記遊技ユニットが、その収納ボックスにおいて嵌込まれて装着された状態において、遊技機の最後端位置が前記遊技ユニット装着部の後端又はその近傍に存在するように設定されていることを特徴とする遊技機。」
を要旨とする。
【００１３】
前記構成において、合成樹脂製の本体枠の略中央部に一体成形された遊技ユニット装着部は、パチンコ機用島設備に設置可能な奥行き寸法の範囲内で後方に突出されており、その遊技ユニット装着部の前側から遊技ユニットが装着される。
一方、本体枠の後側において、その遊技ユニット装着部の後端から後方に突出させることなく、同遊技ユニット装着部の上部から片側にわたって、球タンク、タンクレール及び球払出装置が配置される。
さらに、遊技ユニットは、回転体収納フレーム内に回転可能に装着されかつ円形リールよりなる複数の図柄表示回転体が横方向に配列されて構成された機械式図柄回転装置と、回転体収納フレームの外側に装着され、かつ機械式図柄回転装置を制御する制御基板を有する制御基板ボックスと、を備えて一つにユニット化されている。そして、本体枠の遊技ユニット装着部の前側から遊技ユニットが装着された状態において、遊技機の最後端位置が遊技ユニット装着部の後端又はその近傍に存在するように設定されている。
このようにして、機械式図柄回転装置の複数の図柄表示回転体を円形リールによって構成することで耐久性の向上を図リながら、遊技機の最後端位置を遊技ユニット装着部の後端又はその近傍に存在するように設定するとともに、遊技ユニット装着部の上方及び側方を凹状として球タンク、タンクレール及び球払出装置を装着する構成にすることで、遊技機の奥行き寸法を、遊技機ホールのパチンコ機用島設備に設置可能な奥行き寸法の範囲内に抑えることができ、遊技機ホールのパチンコ機用島設備に容易に設置することができる。
しかも、遊技機の後側に露出する各種遊技構成装置、遊技構成部材（遊技ユニット装着部、球タンク、タンクレール、球払出装置、基板ボックス等の各種遊技構成装置、遊技構成部材）の後端の凹凸差を小さくして略面一化することができ、遊技機の運搬、保管を容易化することができる。
また、遊技ユニット装着部の下方に位置する本体枠の下部領域の後側のスペースを利用して、異なる基板ボックスを左右に所定間隔を隔てて装着することができる。
また、本体枠の下部領域の左右方向略中央部に一体されかつ前側開口部にスピーカが装着されるスピーカボックスの後壁部を、複数の基板ボックス装着部の間のスペースを利用して後方に突出させることで、スピーカボックスの奥行き寸法を、複数の基板ボックスによって制限されることなく任意に設定することができる。
このため、スピーカの作動時に音響室内に発生する音波によってスピーカの振動板の動きが阻害されることを良好に抑制することができる容積をもつ密閉状の音響室を容易に形成することができ、音響効果を高めることができる。
さらに、スピーカボックスは、合成樹脂製の本体枠と一体成形されるため、複数のボックス構成部材によってスピーカボックスを構成する場合と比べ、スピーカを安定よくかつ強固に装着することができる、音質の良い音を出すことができる。
【発明の効果】
【００１４】
この発明によれば、機械式図柄回転装置の複数の図柄表示回転体を円形リールによって構成することで耐久性の向上を図リながら、遊技機の最後端位置を遊技ユニット装着部の後端又はその近傍に存在するように設定することで、遊技機の奥行き寸法を、遊技機ホールのパチンコ機用島設備に設置可能な奥行き寸法の範囲内に抑えることができ、遊技機ホールのパチンコ機用島設備に容易に設置することができる。
しかも、遊技機の後側に露出する各種遊技構成装置、遊技構成部材（遊技ユニット装着部、球タンク、タンクレール、球払出装置等の各種遊技構成装置、遊技構成部材）の後端の凹凸差を小さくすることができ、遊技機の運搬、保管を容易化することができる。
【発明を実施するための最良の形態】
【００１５】
次に、この発明を実施するための最良の形態について、実施例にしたがって説明する。
【実施例】
【００１６】
図１はこの発明の実施例に係る遊技機を前方から示す斜視図である。図２は外枠に対し本体枠が開放された状態を前方から示す斜視図である。図３は本体枠に対し開閉扉が開放された状態を前方から示す斜視図である。図４は遊技機の正面図である。図５は遊技機の背面図である。図６は遊技機の側面図である。図７は球取込装置を示す斜視図である。図８は球取込装置の正断面面である。図９は本体枠の遊技ユニット装着部に遊技ユニットが装着された状態を前方から示す斜視図である。図１０は本体枠の遊技ユニット装着部に遊技ユニットが装着された状態を後方から示す斜視図である。図１１は本体枠を前方から示す斜視図である。図１２は本体枠を後方から示す斜視図である。図１３は遊技ユニットの構成品を分離して示す斜視図である。図１４は遊技ユニットの機械式図柄回転装置と電気式表示装置の装着状態を後方から示す斜視図である。図１５は遊技ユニットの機械式図柄回転装置と制御基板ボックスとが収納ボックスによって一括的に収納された状態を後方から示す斜視図である。図１６は本体枠の遊技ユニット装着部に遊技ユニットが装着された状態を示す側断面図である。図１７は本体枠の遊技ユニット装着部に遊技ユニットが装着された状態を示す平断面図である。図１８は本体枠の下部領域に基板ボックスとスピーカが装着された状態を示す平断面図である。図１９は本体枠の下部領域のボックス装着部に対し基板ボックスが分離された状態を後方から示す斜視図である。図２０は本体枠の下部領域のスピーカボックスに対しスピーカが分離された状態を前方から示す斜視図である。なお、説明の便宜上、遊技機において遊技者側を前反対側を後という。
【００１７】
［遊技機の概要について］
図１〜図３に示すように、遊技機は、外枠１０、開閉扉２１、本体枠７０、遊技ユニット１００等を備えている。
外枠１０は、遊技機ホールのパチンコ機用島設備に設置可能に方形枠状に形成され、その下部前面には、本体枠７０の下面を受ける受け板１５が一体状に設けられている。なお、外枠１０は、遊技機ホールのパチンコ機用島設備に設置される通常のパチンコ機に採用されている外枠と略同じ大きさの外郭寸法及び奥行き寸法に設定されており、通常のパチンコ機に採用されている外枠を用いることもできる。
【００１８】
図１と図２に示すように、外枠１０の前側には、その片側の上下部に配設された本体ヒンジ機構６０によって本体枠７０が開閉可能に装着されている。
この実施例において、本体ヒンジ機構６０は、外枠１０に対し本体枠７０を、その開閉支点を左右方向に変化させ、かつ本体枠７０を前方に向けて所定量だけ突出させながら開放するように、外枠１０側ヒンジ部材と、本体枠７０側のヒンジ部材とに両端部がピンとスライド溝によって回動及びスライド可能に連結された支持アーム６１を備えたスライドヒンジ機構によって構成されている。
【００１９】
［開閉扉について］
図３に示すように、本体枠７０の前側には、その本体ヒンジ機構６０寄り部分に配置された扉ヒンジ機構２０によって開閉扉２１が開閉可能に装着されている。
開閉扉２１の略中央部には、後述する遊技ユニット１００の機械式図柄回転装置１１０の複数の図柄表示回転体１１１の前側部をガラス板、透明樹脂板等の透明な窓板を透して透視可能な主開口窓２３が形成されている。
また、開閉扉２１の上部には、後述する遊技ユニット１００の電気式表示装置１３０の電気式表示器１３１の表示面を、ガラス板、透明樹脂板等の透明な窓板を透して透視可能な副開口窓２４が形成されている。
【００２０】
図１に示すように、開閉扉２１の前側下部には、主開口窓２３の下方に位置して、操作部設置台２２が前方に向けて突出され、その操作部設置台２２の上面には球投入ボタン（マックスベッドボタンすなわち最大賭け数設定ボタン）４０が手動操作可能に設けられ、同操作部設置台２２の前面には、始動レバー４１、第１ストップボタン４２、第２ストップボタン４３、第３ストップボタン４４等がそれぞれ操作可能に設けられている。
また、操作部設置台２２の側部（図１に向かって左側部）には、隣接する遊技機の間に設置される球貸機２００の球放出樋２０１の放出口から放出されるパチンコ球を受け入れる球受入口２５が設けられている。
また、開閉扉２１の前側には、その操作部設置台２２の下方位置して球受け皿２６が設けられている。
【００２１】
図３に示すように、開閉扉２１の後側には、球受入口２５の後側開口部２５ａ及び球受け皿２６の後側開口部２６ａに連通する連絡通路する連絡通路部材２９が設置され、この連絡通路部材２９には、後述する球払出装置１６６の払出口と球受け皿２６の後側開口部２６ａと連通しかつ多量のパチンコ球を貯留可能な球貯留部兼用の連絡通路が形成されるようになっている。
そして、球受け皿２６と連絡通路部材２９には、球貸機２００の球放出樋２０１から放出された貸し球としてのパチンコ球と、球払出装置１６６から払い出された賞球としてのパチンコ球とが保留されるようになっている。
また、球受け皿２６には、パチンコ球を前後二列に整列させて次に述べる球取込装置３０に供給するための前後二列の球整列路２８が仕切り壁２８ａによって区画形成されている。
【００２２】
［開閉扉の球取込装置について］
図３に示すように、開閉扉２１の下部領域の内部には、球受け皿２６の球整列路２８のパチンコ球を、球投入ボタン４０の手動操作に基づいて作動する球取込用モータ３５を駆動源とする球取込装置３０が設けられている。
図７と図８に示すように、球取込装置３０は、球受け皿２６の前後二列の球整列路２８にそれぞれ個別に連通する前後二列の球取込路３２を区画形成する複数の球通路構成体３１と、前後二列の球取込路３２内のパチンコ球Ｂを一方向の回転動作によって取り込むスプロケット状の前後の両球取込回転体３３と、これら両球取込回転体３３によって取り込まれたパチンコ球Ｂをそれぞれ個別に検出する前後二つの球検出器３６とを備えて構成されている。さらに、前後の両球取込回転体３３は、同一の球取込用モータ３５によって駆動される駆動軸上に設けられている。
【００２３】
すなわち、球投入ボタン４０の手動操作に基づいて球取込用モータ３５が作動され、駆動軸と共に、前後の両球取込回転体３３が一方向に回転駆動されることで、前後二列の球取込路３２内のパチンコ球Ｂが取り込まれる。その後、前後二つの球検出器３６によって検出されたパチンコ球Ｂの合計の数が、賭け数に応じたパチンコ球Ｂの数に達して投入されたことを条件として、球取込用モータ３５が停止される。ここで、始動レバー１４１を手動操作することで、後述する機械式図柄回転装置１１０の複数の図柄表示回転体１１１がそれぞれ回転するようになっている。
なお、球取込装置３０の前後二つの球検出器３６を通過したパチンコ球Ｂは図示しない排出誘導路を有する誘導筒に誘導されて機外に排出され、パチンコ機用島設備に設置された球回収通路に導かれるようになっている。
【００２４】
また、この実施例において、図７と図８に示すように、球取込装置３０の複数の球通路構成体３１の内部には、前後の両球取込回転体３３の上流側に位置する前後二列の球取込路３２の部分に連通可能な球抜き通路３７が形成されている。その球抜き通路３７の球流入口には、常には、ばね３８によって閉じ位置に配置保持される通路開閉部材３９が配設されている。
また、通路開閉部材３９は、遊技機の前側から遊技者が手動操作できるように連動部３９ｂが設けられている。そして、遊技者の手動操作によって、連動部３９ｂを介して通路開閉部材３９がばね３８の弾発力に抗して開放位置までスライドされることで、球受け皿２６内のパチンコ球Ｂが、前後二列の球整列路２８、前後二列の球取込路３２を経て球抜き通路３７に自重によって流れるようになっている。
【００２５】
また、この実施例において、通路開閉部材３９が開放位置に配置されたときには、その通路開閉部材３９を検出する検出器（図示しない）の信号によって球取込用モータ３５が作動（逆転）される。そして、前後の両球取込回転体３３が球取込方向とは反対方向に回転駆動されることで、前後の両球取込回転体３３上に保留されているパチンコ球Ｂが球抜き通路３７に放出されるようになっている。
なお、球抜き通路３７の下端出口は、開閉扉２１の下端部に設けられた球通路（図示しない）に連通している。そして、球抜き通路３７の下端出口から開閉扉２１の下端部の球通路を通過したパチンコ球Ｂは、パチンコ機用島設備の受け棚上に載置された球貯留箱（ドル箱とも呼ばれる）に受けられるようになっている。
【００２６】
また、この実施例において、球取込装置３０の球取込路３２を流れるパチンコ球Ｂを遊技機の前側から遊技者が視認できるように、球取込装置３０の球通路構成体３１及びその球通路構成体３１に対面する開閉扉２１の部分が透明な合成樹脂材によって形成されたり、あるいは透視孔が形成される。
【００２７】
また、この実施例において、開閉扉２１の前側には、その主開口窓２３及び副開口窓２４の周囲を取り囲むようにして、装飾ランプを有するランプ基板、各種の表示ランプを有する表示基板、左右のスピーカ（例えば、高中音用スピーカ）等が配置されている。
さらに、開閉扉２１の前側には、球貸機２００に対する貸球ボタン、返却ボタン、精算ボタン（図示しない）等が配設されている。
【００２８】
［施錠装置について］
図２、図３、図９及び図１０に示すように、本体枠７０の後面には、その本体ヒンジ機構６０とは反対側の自由端寄り部分には、外枠１０に対する本体枠７０の施錠と、本体枠７０に対する開閉扉２１の施錠を行う施錠装置５０の取付基板５０ａが取り付けられいる。
この施錠装置５０は、取付基板５０ａに組み付けられたシリンダ錠５１と、取付基板５０ａに上下動可能に組み付けられた本体枠施錠部材５４と、扉施錠部材（図示しない）と、シリンダ錠５１の鍵孔に鍵が挿入された状態で正逆方向（左右方向）に回動可能に組み付けられた解錠部材５３とを備えている。
そして、本体枠施錠部材５４には、外枠１０の前側に本体枠７０が閉じられたときに、外枠１０の自由端側の側枠に取り付けられた閉止具５６に係脱可能に係合して本体枠７０を閉じ状態に施錠する上下複数の本体枠施錠フック５５が設けられている。また、扉施錠部材（図示しない）には本体枠７０の後面から前面に開口する孔に向けて嵌挿され、本体枠７０の前側に開閉扉２１が閉じられたときに、その開閉扉２１の後面に固定された閉止具５９に係脱可能に係合して開閉扉２１を閉じ状態に施錠する上下複数の扉施錠フック５８が設けられている。
また、シリンダ錠１０１は、開閉扉２１の自由端寄り部分に設けられた筒部２９を貫通してその筒部２９の前側開口部に露出されている。
【００２９】
［本体枠について］
図９〜図１２に示すように、本体枠７０は、前枠部７１及び遊技ユニット装着部８０を備え、かつ合成樹脂材によって一体に形成（一体成形）されている。
また、合成樹脂製の本体枠７０の前枠部７１は、外枠１０の外郭形状（受け板１５を除く外郭形状）と略同じ大きさの枠状に形成され、その前枠部７１の略中央部には、後述する遊技ユニット１００の収納ボックス１５０に対応する遊技ユニット装着部８０が一体成形されている。
遊技ユニット装着部８０は、遊技ユニット１００が、その収納ボックス１５０において前方から嵌込まれて着脱可能に装着される略四角形の枠形状あるいは前方に開口する箱形状をなし、かつパチンコ機用島設備に設置可能な奥行き寸法の範囲内で後方に向けて大きく突出して一体成形されている。この遊技ユニット装着部８０の奥行き寸法は、図１６に示すように、概ね図柄表示回転体１１１の直径寸法の３／４程度であるが、少なくとも、図柄表示回転体１１１の直径寸法の半分を越える寸法に一体成形することにより、遊技ユニット１００の重心を受けて遊技ユニット１００を安定よく保持できるようになっている。ちなみに、パチンコ機用島設備に設置可能な奥行き寸法は、外枠１０の前端から後方に略１７０ｍｍ程度隔てた寸法である。
また、遊技ユニット装着部８０の下部は、遊技ユニット１００の収納ボックス１５０の下部の段差形状に対応して、図１１に向かって左側が高く右側が低い段差状に形成され、これら上段下壁部８３と下段下壁部８５の上面には、収納ボックス１５０の段差状下部を受ける受承面８４、８６が形成されている。
【００３０】
図１１及び図１２〜図１６に示すように、下段下壁部８５の受承面８６の後端部（奥側端部）には、遊技ユニット１００の収納ボックス１５０の後壁１５４下部に接近あるいは当接するストッパ部９０が突設されている。
また、図９と図１１に示すように、遊技ユニット装着部８０の前端部の上下部には、同遊技ユニット装着部８０の開口窓に嵌込まれる遊技ユニット１００の収納ボックス１５０の前端縁上下部に係脱可能に係合して、遊技ユニット装着部８０内に遊技ユニット１００を保持するための留め具９５が取付ねじを中心として回動可能に組み付けれている。
すなわち、留め具９５は、その取付ねじに対するボス部と、そのボス部から突出されかつ指先が挿入可能な操作部と、遊技ユニット１００の収納ボックス１５０の前端縁を係脱可能に係止する係止部とを一体に備えている。そして、係止部が非係止位置に配置された状態で、遊技ユニット装着部８０の前側開口部から遊技ユニット１００の収納ボックス１５０が嵌込まれた後、留め具９５が略９０度回動操作されて係止位置に配置されることで
、その係止部が遊技ユニット１００の収納ボックス１５０の前端縁を係止するようになっている。
【００３１】
また、遊技ユニット装着部８０の内側壁面と、収納ボックス１５０の外側壁面とのうち、一方の側壁面には、他方の側壁面に接して収納ボックス１５０を嵌込み案内するための前後方向に延びる案内リブが上下方向に所定間隔を隔てて突設されている。
この実施例において、図１１に示すように、遊技ユニット装着部８０の図１１に向かって左上部には、前後方向に延びる複数の案内リブ８０ａが一体成形によって突設されている。
さらに、遊技ユニット装着部８０の下部の下段下壁部８５から立ち上がる左右の両内壁面に前後方向に延びる複数の案内リブ８０ｂ、８０ｃが一体成形によって突設されている。
また、図１０と図１２に示すように、遊技ユニット装着部８０の後上部には、ストッパ部としても機能する上部後壁８７が一体成形され、その上部後壁８７には、その後面から前方に向けて有底筒状の凹部８８が形成され、その凹部８８の底面には、遊技ユニット１００の後上部に収納された中継基板ケース１４１の留め具１４２が挿脱可能に貫挿され、かつこれら留め具１４２に係脱可能に係合する係止孔が貫設されている。
【００３２】
［本体枠の後構成について］
図１０と図１２に示すように、本体枠７０の後側には、遊技ユニット装着部８０の上（上方）に位置して横長状をなしかつ前後方向に階段状に凹んだ凹部が形成され、その凹部の上段部には、タンク支持部１６０ａを有するタンク装着部１６０が一体成形されている。
また、前記凹部の下段部には、タンク装着部１６０の下方に隣接して横断面略Ｌ字状をなすタンクレール装着部１６２が一体成形されている。
そして、図１０と図１６に示すように、タンク装着部１６０には、パチンコ機用島設備のパチンコ球供給口から供給されるパチンコ球を受けてそのパチンコ球を貯留する上方に開口する箱形状の球タンク１６１が装着されている。
また、タンクレール装着部１６２には、球タンク１６１の底面の後角部（図１０に向かって左角部）に形成された球放出口１６１ａから放出されるパチンコ球を受けてそのパチンコ球を図１０に向かって右側に流す傾斜状のレール通路を構成するタンクレールとしてのタンクレール構成部材１６３が装着されている。
また、図１０と図１６に示すように、タンクレール構成部材１６３は、下部にレール片１６３ａを有し、そのレール片１６３ａの前後方向中央部に仕切り壁１６３ｂが突設され、レール片１６３ａの後端に略垂直状に立ち上がる後壁１６３ｃを有して横断面略Ｆ字状に形成されている。
そして、タンクレール装着部１６２の立ち壁面をレール通路の前壁とし、その前壁とタンクレール構成部材１６３の後壁１６３ｃとの間に前後二列のレール通路が区画形成されるようにようになっている。
【００３３】
図１０と図１２に示すように、本体枠７０の後側の遊技ユニット装着部８０の片側（図１２に向かって左側）には、縦長状に凹んだ球払出装置装着部１６５が一体成形によって凹設されている。そして、球払出装置装着部１６５には、ユニット化された球払出装置１６６が装着されている。
図５、図１０及び図１７に示すように、球払出装置１６６は、タンクレール構成部材１６３によって構成されたタンクレールの前後二列のレール通路の下流端に連通する前後二列の球通路１６６ａと、電動駆動部材としての払出モータ１６６ｂと、その払出モータ１６６ｂを駆動源として前後二列の球通路１６６ａのパチンコ球を連絡通路部材２９の連絡通路を経て球受け皿２６に払い出す球払出部材（回転体）１６６ｃとが複数又は単数の通路構成体に組み付けられて一つにユニット化されている。
また、この実施例において、図１１と図１７に示すように、球払出装置装着部１６５の凹部底面には開口部１６５ａが形成され、球払出装置１６６の払出モータ１６６ｂは開口部１６５ａから前方に向けて突出された状態で装着されている。
【００３４】
また、前記したように、タンク装着部１６０に球タンク１６１が装着され、タンクレール装着部１６２にタンクレール構成部材１６３が装着され、球払出装置装着部１６５に球払出装置１６６が装着された状態において、球タンク１６１、タンクレール構成部材（タンクレール）１６３及び球払出装置１６６の後端が遊技ユニット装着部８０の後端から後方に突出されることなく装着されるようになっている。
【００３５】
［遊技ユニットの概要について］
図１３〜図１５に示すように、遊技ユニット装着部８０の前側から嵌込まれて装着される遊技ユニット１００は、機械式図柄回転装置１１０、電気式表示装置１３０、主制御基板１２１を有する主制御基板ボックス１２０、副制御基板１２６を有する副制御基板ボックス１２５、中継基板１４０を有する中継基板ケース１４１及び収納ボックス１５０を備え、かつ一つにユニット化されて構成されている。
【００３６】
［遊技ユニットの機械式図柄回転装置について］
図１４と図１６に示すように、機械式図柄回転装置１１０は、金属板等の剛性を有する部材によって前方に開口する略方形箱形に形成された回転体収納フレーム１０２と、その
回転体収納フレーム１０２の内部に横方向の軸回りに回転可能に収納された状態で横方向に配列された複数（例えば、３つの）の円形リールよりなる図柄表示回転体１１１によって構成されている。
また、円形リールよりなる図柄表示回転体１１１は、耐久性に優れる合成樹脂製あるいは軽金属製の円形リール体（例えば、直径２１５ｍｍ）の外周面に数字、図柄、模様等の抽選図柄が表示されて構成されている。そして、複数の図柄表示回転体１１１の前部外周部分が、回転体収納フレーム１０２の前側に露出するとともに、開閉扉２１の主開口窓２３に望んでおり、遊技者は、開閉扉２１の主開口窓２３を透して複数の図柄表示回転体１１１の前側部分が視認可能となっている。
【００３７】
また、複数の図柄表示回転体１１１は、それぞれ別個の駆動モータ（図示しないが回転体収納フレーム１０２内に配設されている）を駆動源し、かつ主制御基板ボックス１２０内の主制御基板１２１によって回転制御されるようになっている。
すなわち、複数の図柄表示回転体１１１は、遊技機の前側（開閉扉２１）に設けられた球投入ボタン（ベッドボタン）４０が操作されて所定数のパチンコ球Ｂが投入されたことを条件として、始動レバー４１が操作されることで複数の図柄表示回転体１１１がそれぞれの駆動モータによって回転駆動される。その後、複数の図柄表示回転体１１１にそれぞれ対応する第１〜第３のストップボタン４２、４３、４４が操作されることで、複数の図柄表示回転体１１１の回転が停止するようになっている。
また、開閉扉２１の主開口窓２３を透して視認されかつ複数の図柄表示回転体１１１の表示面にそれぞれ個別に表示された各図柄（３つの図柄）の列が所定の当たり図柄列を表示して停止したときには、所定数の球が後述する球払出装置１６６によって球受け皿２６に払い出さるようになっている。
なお、図１４に示すように、回転体収納フレーム１０２の後壁板１０３には、スリット状をなす多数の放熱孔１０４が貫設されている。
【００３８】
［遊技ユニットの電気式表示装置について］
図１４〜図１６に示すように、回転体収納フレーム１０２の上面には、回転体収納フレーム１０２と略同じ幅寸法（左右方向の幅寸法）を有して断面略Ｌ字状に形成された支持フレーム１０５が、その下部の取付基板１０５ａにおいて固定されている。支持フレーム１０５の略垂直に立ち上がる垂直板１０５ｂの前側には、機械式図柄回転装置１１０の制御を含む遊技全般の制御を行うための主制御基板１２１が収納された主制御基板ボックス１２０が略垂直状態（縦置きの状態）をなして装着されている。
【００３９】
また、図１４〜図１６に示すように、支持フレーム１０５の垂直板１０５ｂの一側部の上下部にはブラケット１０６が前方に向けて張り出され、これら上下のブラケット１０６の間には、遊技演出、図柄変動表示等に関する表示を電気的に行う電気式表示装置１３０が装着されている。
電気式表示装置１３０は、比較的大型、例えば、機械式図柄回転装置１１０の幅寸法と略同じ、あるいは１／２以上の幅寸法を有する大型の電気式表示器（例えば、液晶表示器、プラズマ表示器、ＥＬ表示器等）１３１と、その表示制御基板１３３が収納された表示制御基板ボックス１３２とを一体状に備えてユニット化されている。
【００４０】
また、この実施例において、電気式表示装置１３０は、支持フレーム１０５の上下のブラケット１０６の間に、垂直方向のヒンジピン１０７を支点として水平回動可能に装着されている。
さらに、電気式表示装置１３０は、常には、ばね等の附勢手段によって前方に向けて附勢され、その電気式表示器１３１の自由端部前側が開閉扉２１の副開口窓２４の後側開口縁に当接した状態で、同開閉扉２１に追従して回動されるようになっている。
そして、開閉扉２１が閉じられた状態にあるときには、電気式表示装置１３０が開閉扉２１の後側に当接して所定の表示姿勢に保たれるようになっている。
また、開閉扉２１が開かれるときには電気式表示装置１３０がばね等の附勢手段によって開閉扉２１に追従しかつヒンジピン１０７を中心として前方に回動されることで、遊技機の前方から主制御基板ボックス１２０が前側全体が視認可能となっている。
なお、遊技ユニット１００を一つのユニットとして単体で取り扱う際には、電気式表示装置１３０は、ロック手段（図示しない）によって支持フレーム１０５の垂直板１０５ｂに略平行するロック位置にロックされ、本体枠７０の遊技ユニット装着部８０に装着された後、ロック手段がロック解除されるようになっている。これによって、遊技ユニット１００を単体として容易に取り扱うことができるようになっている。すなわち、電気式表示装置１３０が前方に突出して取り扱いの妨害物となる不具合を解消するようになっている。
【００４１】
［遊技ユニットの収納ボックスについて］
図１５〜図１７に示すように、遊技ユニット１００の収納ボックス１５０は、回転体収納フレーム１０２を含む機械式図柄回転装置１１０、主制御基板ボックス１２０、副制御基板ボックス１２５及び中継基板ケース１４１を一括的に収納して保護するものであり、合成樹脂材によって前方に開口する箱形状に形成されるとともに、本体枠７０の遊技ユニット装着部８０の前側から着脱可能に嵌込まれる大きさ及び形状に形成されている。
この実施例において、収納ボックス１５０は、その外郭形状が角張った形状に形成されている。すなわち、図１３と図１５に示すように、収納ボックス１５０は、上部の左右両側部の前側には外側に向けて張り出す張出部１５０ａ、１５０ｂが形成され、下部が図１３に向かって左側が高く右側が低い段差状に形成されている。
また、収納ボックス１５０は、本体枠７０の遊技ユニット装着部８０の前側から嵌込まれる際、遊技ユニット装着部８０の内壁面に突設された前後方向に延びる複数の案内リブ８０ａ、８０ｂ、８０ｃに接して収納ボックス１５０の外側面が嵌込み案内されるようになっている。
そして、本体枠７０の遊技ユニット装着部８０に収納ボックス１５０が嵌込まれたときには、収納ボックス１５０の上部の張出部１５０ａ、１５０ｂの外側面が遊技ユニット装着部８０の上部の内壁面の複数の案内リブ８０ａの突出端又は内壁面に接近あるいは当接するとともに、下部の段差部の両外側面が遊技ユニット装着部８０の下部の複数の案内リブ８０ａ、８０ｂ、８０ｃに接近あるいは当接した状態において、同収納ボックス１５０の下部の上段下壁部１５３と下段下壁部１５５の下面が、遊技ユニット装着部８０の上下の受承面８４、８６に受承される。これによって、遊技ユニット装着部８０に収納ボックス１５０が位置決めされた状態で安定よく装着されるようになっている。
また、収納ボックス１５０の後壁１５１には、回転体収納フレーム１０２の後壁板１０３を露出させる放熱用の後開口窓１５２が貫設されている。
【００４２】
図１６に示すように、収納ボックス１５０の上段下壁部１５３上には、回転体収納フレーム１０２の下面に取り付けられた下ベース板１０１ａが略水平状に載置され、その下ベース板１０１ａの前端の取付片１０１ｂがビスによって締め付けられることで、収納ボックス１５０に回転体収納フレーム１０２が固定され、その回転体収納フレーム１０２の後壁板１０３が、収納ボックス１５０の後開口窓１５２から僅かに突出された状態で露出されるようになっている。
さらに、図１５に示すように、収納ボックス１５０に機械式図柄回転装置１１０がその回転体収納フレーム１０２の下ベース板１０１ａにおいて固定された状態において、電気式表示装置１３０が収納ボックス１５０の前側上部に露出されるようになっている。
【００４３】
また、この実施例において、図１６に示すように、収納ボックス１５０内には、回転体収納フレーム１０２の下ベース板１０１ａと下段下壁部１５５との間の空間部を基板ボックス格納部として利用し、その基板ボックス格納部には副制御基板ボックス１２５が収納され、適宜の固定手段によって収納状態に保持されるようになっている。
副制御基板ボックス１２５には、電気式表示装置１３０を制御するとともに、遊技機の所定位置に配設されたスピーカを作動制御したり、ランプ、ＬＥＤ等を点滅制御する副制御基板１２６が収納されている。
【００４４】
図１５に示すように、収納ボックス１５０の後側には、その中継基板ケース１４１に対応する基板ケース格納部が形成され、その基板ケース格納部の後方から中継基板ケース１４１が嵌込まれて装着されるようになっている。この中継基板ケース１４１には、例えば、主制御基板１２１、副制御基板１２６、後述する電源基板１８２、払出制御基板１８７等を電気的に接続するための中継基板１４０が収納されている。
また、中継基板ケース１４１の後面の左右両端部寄り部分には、本体枠７０の上部後壁８７の凹部８８の係止孔に係脱可能に挿入されかつ後端部に蝶ナット状の回動係止部を有する留め具１４２が後方に向けて突出されている。
【００４５】
また、この実施例において、図１５と図１６に示すように、合成樹脂製成形品によって形成される収納ボックス１５０は、その下部の段差部を含む外周壁面が前後方向に僅かな段差をもって複数の段差状に形成されるとともに、奥側の段差部から前側の段差部に向けてしだいに大きくなるように形成されている。これによって、収納ボックス１５０の強度が高められるとともに、成形型から容易に脱型されるようになっている。
また、図１５と図１６に示すように、収納ボックス１５０の外周壁面には、その前後の複数の段差部にわたって連続して延びる前後方向の複数のリブ１５２が周方向に所定間隔を隔てて一体成形されており、これら複数のリブ１５２によって収納ボックス１５０の強度がより一層高められるとともに、遊技ユニット装着部８０の前側から収納ボックス１５０が嵌込まれる際に、複数のリブ１５２が嵌込みの案内片として機能することで収納ボックス１５０が容易に嵌込まれるようになっている。
【００４６】
前記したように、機械式図柄回転装置１１０の回転体収納フレーム１０２に固着された支持フレーム１０５に主制御基板ボックス１２０が、ブラケット１０６に電気式表示装置１３０が組み付けられた後、機械式図柄回転装置１１０及び主制御基板ボックス１２０が収納ボックス１５０に一括的に収納される。
さらに、収納ボックス１５０の基板ボックス格納部の前側から副制御基板ボックス１２５が挿入されて装着され、基板ケース格納部の後側から中継基板ケース１４１が挿入されて装着されることによって、一つにユニット化された遊技ユニット１００が構成されるようになっている。
そして、図９に示すように、遊技ユニット１００は、その収納ボックス１５０において、本体枠７０の遊技ユニット装着部８０の前側開口から着脱可能に嵌込まれ、その後、上下の留め具９５の係止部によって係止される。
さらに、図１０に示すように、中継基板ケース１４１の留め具１４２が遊技ユニット装着部８０の上部後壁８７の凹部８８の係止孔に挿入され、その留め具９５の先端の蝶ナット状の回動係止部が略９０度回動されることで、中継基板ケース１４１が固定され、これによって遊技ユニット装着部８０に対する遊技ユニット１００の装着作業が完了するようになっている。
【００４７】
また、この実施例において、図１０に示すように、遊技ユニット装着部８０に遊技ユニット１００が装着された状態において、収納ボックス１５０の後壁１５１は、遊技ユニット装着部８０の後端と略同一面をなしてその後側開口部に露出されている。
そして、図２と図１０に示すように、収納ボックス１５０の後壁１５１の後側には、多数の放熱孔が貫設された遊技ユニット後カバー１５５が、遊技ユニット装着部８０の上部後壁８７と略同一面をなして開閉可能又は着脱可能に装着されるようになっている。
そして、遊技機の最後端位置が遊技ユニット装着部８０の後端（この実施例では上部後壁８７）又はその近傍に存在するように設定されている。
【００４８】
［本体枠の下部領域の基板ボックス装着部について］
図１８と図１９に示すように、遊技ユニット装着部８０の下方に位置する本体枠７０の下部領域の後側には、平坦な縦壁面をなす第１基板ボックス装着部１７１と第２ボックス装着部１７２とが左右に所定間隔を隔てて形成されおり、図１９に向かって右側の第１ボックス装着部１７１には電源基板１８２が収納された電源基板ボックス１８１が適宜の装着手段によって装着されている。
また、図１９に向かって左側の第２ボックス装着部１７２には、払出制御基板１８７が収納された払出制御基板ボックス１８６が適宜の装着手段によって装着されている。
そして、第１、第２の両ボックス装着部１７１、１７２に、電源基板ボックス１８１と払出制御基板ボックス１８６とが装着された状態において、電源基板ボックス１８１及び払出制御基板ボックス１８６の後面が遊技ユニット装着部８０の後端から後方に突出されることなく装着されるようになっている。
【００４９】
［本体枠の下部領域のスピーカボックスについて］
図１８〜図２０に示すように、遊技ユニット装着部８０の下部領域の左右方向略中央部には、同本体枠７０の前面から後方に向かって延びかつ周壁１７６と後壁１７７とを有して前方に開口する箱形状のスピーカボックス１７５が一体成形されている。このスピーカボックス１７５の前側開口部には、同開口部を塞ぐようにし、かつスピーカ取付板１９０を介してスピーカ（この実施例では重低音用コーン型スピーカ）１９５が装着されている。
すなわち、スピーカ取付板１９０には、スリット状の多数の貫通孔が形成され、その後側にスピーカ１９５がその前面フランジ１９６においてビス１９７によって取り付けられている。そして、スピーカ１９５を装着したスピーカ取付板１９０は、スピーカボックス１７５の前側開口部にビス１９８によって取り付けられるようになっている。
【００５０】
また、前記したようにスピーカボックス１７５の前側開口部にスピーカ取付板１９０を介してスピーカ１９５が装着された状態において、そのスピーカ１９５の振動板１９８の後側とスピーカボックス１７５の後壁部１７７との間の空間部を密閉状の音響室１９９としている。
さらに、スピーカボックス１７５の後壁部１７７は、左右の第１、第２の基板ボックス装着部１７１、１７２の間に位置し、かつこれら第１、第２の基板ボックス装着部１７１、１７２に装着された電源基板ボックス１８１又は払出制御基板ボックス１８６の後面近傍まで突出している。
これによって、スピーカ１９５の作動時に音響室１９９内に発生する音波によってスピーカ１９５の振動板１９８の動きが阻害されることを抑制することができる容積をもつ密閉状の音響室１９９が形成されるようになっている。
【００５１】
［実施例の作用効果について］
この実施例に係る遊技機は前述したように構成される。
したがって、遊技機の前側の開閉扉２１に手動操作可能に配置された球投入ボタン（掛け数設定ボタン）４０、始動レバー４１、第１〜第３のストップボタン４２、４３、４４のうち、まず、球投入ボタン４０を操作する。
すると、球取込装置３０の球取込用モータ３５が作動され、駆動軸と共に、前後の両球取込回転体３３が一方向に回転駆動される。
前後の両球取込回転体３３の一方向の回転による球取込作用によって、前後二列の球取込路３２内のパチンコ球が取り込まれ、その後、取り込まれたパチンコ球Ｂが前後二つの球検出器３６を通過して機外に排出される。
前後二つの球検出器３６によって検出されたパチンコ球Ｂの合計の数が、賭け数に応じたパチンコ球Ｂの数に達して投入されたことを条件として、球取込用モータ３５が停止される。
【００５２】
また、前後二つの球検出器３６によって検出されたパチンコ球Ｂの合計の数が、賭け数に応じたパチンコ球Ｂの数に達して投入されたことを条件として、始動レバー１４１を手動操作することで、機械式図柄回転装置１１０の複数の図柄表示回転体１１１の回転が始動する。
ここで、複数の図柄表示回転体１１１に対応する第１〜第３のストップボタン４２、４３、４４をそれぞれ個別に操作して、複数の図柄表示回転体１１１の回転を停止させることによって１ゲームのスロット遊技が行われる。この際、電気式表示装置１３０の電気式表示器１３１の表示面には、遊技の進行に応じて、例えば動画によって遊技演出が表示されたり、図柄が変動表示される。
そして、開閉扉２１の主開口窓２３を透して視認される表示部に複数の図柄表示回転体１１１が予め設定された当たり図柄列を表示して停止したときに、球払出装置１６６の払出モータが作動され、球払出部材（回転体）が駆動される。これによって、所定数のパチンコ球が球払出装置１６６の払出口から連絡通路部材２９の連絡通路を経て球受け皿２６に払い出される。
【００５３】
さて、この実施例において、合成樹脂製の本体枠７０の略中央部には、パチンコ機用島設備に設置可能な奥行き寸法の範囲内で箱形状の遊技ユニット装着部８０が後方に突出されて一体成形されており、その遊技ユニット装着部８０の前側開口部から遊技ユニット１００が、その収納ボックス１５０において嵌込まれる。
この際、遊技ユニット装着部８０の内壁面に突設された前後方向に延びる複数の案内リブ８０ａ、８０ｂ、８０ｃに接して収納ボックス１５０の外側面が嵌込み案内され、これによって、収納ボックス１５０の後壁１５４の下部が遊技ユニット装着部８０の奥側のストッパ部９０に接近あるいは当接する位置まで容易に嵌込まれる。ここで、遊技ユニット装着部８０の上下の留め具９５を、その操作部において略９０度回動操作する。すると、これら留め具９５の係止部によって収納ボックス１５０の前縁部の上下部が係止され、これによって、遊技ユニット装着部８０に遊技ユニット１００が容易に装着される。
また、遊技ユニット装着部８０に遊技ユニット１００の収納ボックス１５０をその角張った部分において正確に位置決めして装着することができるとともに、収納ボックス１５０のガタツキを防止することができる。
また、遊技ユニット装着部８０に遊技ユニット１００が装着された状態において、遊技ユニット装着部８０の段差形状の下部の上段下壁部８３と下段下壁部８５の上面に形成された受承面８４、８６によって収納ボックス１５０の段差状下部の上段下壁部１５３と下段下壁部１５５の下面を受けることで、遊技ユニット１００を安定よく装着することができる。
【００５４】
また、枠形状あるいは前方に開口する箱形状の遊技ユニット装着部８０の上部後壁８７と、遊技ユニット１００の収納ボックス１５０の後側に装着された遊技ユニット後カバー１５５の後面とが略同一面をなすとともに、本体枠７０の後側のタンク装着部１６０、タンクレール装着部１６２及び球払出装置装着部１６５には、遊技ユニット装着部８０の後端から後方に突出することなく、球タンク１６１、タンクレール構成部材（タンクレール）１６３及び球払出装置１６６を装着することができる。
また、遊技機の最後端位置を遊技ユニット装着部８０の後端（この実施例では上部後壁８７）又はその近傍に存在するように設定されている。
このため、図６に示すように、遊技機の奥行き寸法（外枠１０の前端から遊技機の後端までの距離寸法）Ｌを、遊技機ホールのパチンコ機用島設備に設置可能な奥行き寸法の範囲内に抑えることができ、遊技機ホールのパチンコ機用島設備に容易に設置することができる。
【００５５】
また、この実施例において、図１６に示すように、本体枠７０の後側の遊技ユニット装着部８０の上（上方）に位置して前後方向に階段状に凹んだ凹部において、下段部分に比べて前後方向の奥行き寸法が大きくなる上段部分にタンク装着部１６０が一体成形されることで、前後方向の奥行き寸法が大きい球タンク１６１を安定よく装着することができる。
そして、階段状凹部の下段部分に一体成形されタンクレール装着部１６２に球タンク１６１の後壁を略同一面をなしてタンクレールとしてのタンクレール構成部材１６３を装着することができる。
このため、球タンク１６１の後壁が後方に大きく突出して遊技機の奥行き寸法を増大させることがない。
【００５６】
また、遊技機の後側に露出する各種遊技構成装置、遊技構成部材、すなわち、遊技ユニット装着部８０、遊技ユニット後カバー１５５、球タンク１６１、タンクレール構成部材（タンクレール）１６３、球払出装置１６６、スピーカボックス１７５、電源基板ボックス１８１、払出制御基板ボックス１８６等の遊技構成装置、遊技構成部材の後面の凹凸差を小さくして面一化を図ることことができ、遊技機の運搬、保管を容易化することができる。
【００５７】
また、この実施例において、遊技ユニット装着部８０の下方に位置する本体枠７０の下部領域の後側のスペースを利用して、かつ左右に所定間隔を隔てて第１、第２のボックス装着部１７１、１７２を形成し、これら第１、第２のボックス装着部１７１、１７２に電源基板ボックス１８１と払出制御基板ボックス１８６とを整然として装着することができる。
また、本体枠７０の下部領域の左右方向略中央部に一体されかつ前側開口部にスピーカ取付板１９０を介してスピーカ１９５が装着されるスピーカボックス１７５の後壁部１７７を、第１、第２の基板ボックス装着部１７１、１７２の間のスペースを利用して後方に突出させることで、スピーカボックス１７５の奥行き寸法を、電源基板ボックス１８１や払出制御基板ボックス１８６によって制限されることなく任意に設定することができる。  このため、スピーカ１９５の作動時に音響室内に発生する音波によってスピーカ１９５の振動板１９８の動きが阻害されることを良好に抑制することができる容積をもつ密閉状の音響室を容易に形成することができ、音響効果を高めることができる。
しかも、スピーカボックス１７５は、合成樹脂製の本体枠７０と一体成形されるため、複数のスピーカボックス構成部材によってスピーカボックスを構成する場合と比べ、スピーカ１９５を安定よくかつ強固に装着することができる、音質の良い音を出すことができる。
【００５８】
［他の実施例について］
なお、この発明は前記実施例に限定するものではない。
例えば、前記実施例において、遊技ユニット１００は、機械式図柄回転装置１１０、電気式表示装置１３０、主制御基板１２１を有する主制御基板ボックス１２０、副制御基板１２６を有する副制御基板ボックス１２５、中継基板１４０を有する中継基板ケース１４１及び収納ボックス１５０を備えて構成される場合を例示したが、電気式表示装置１３０は必要に応じて装着すればよい。
【００５９】
また、本体枠７０の前側に開閉可能の装着される開閉扉２１を上下に分割構成し、上の開閉扉に機械式図柄回転装置１１０に対応する開口窓を形成し、下の開閉扉に球投入ボタン（掛け数設定ボタン）４０、始動レバー４１、第１〜第３のストップボタン４２、４３、４４を手動操作可能に配置してもよい。
また、本体枠７０の前側上部に開閉扉を開閉可能に組み付け、その開閉扉の下方に位置する本体枠７０の前側部分に操作部を設け、その操作部に球投入ボタン（掛け数設定ボタン）４０、始動レバー４１、第１〜第３のストップボタン４２、４３、４４を手動操作可能に配置してもよい。
【図面の簡単な説明】
【００６０】
【図１】この発明の実施例に係る遊技機を前方から示す斜視図である。
【図２】同じく外枠に対し本体枠が開放された状態を前方から示す斜視図である。
【図３】同じく本体枠に対し開閉扉が開放された状態を前方から示す斜視図である。
【図４】同じく遊技機の正面図である。
【図５】同じく遊技機の背面図である。
【図６】同じく遊技機の側面図である。
【図７】同じく球取込装置を示す斜視図である。
【図８】同じく球取込装置の正断面面である。
【図９】同じく本体枠の遊技ユニット装着部に遊技ユニットが装着された状態を前方から示す斜視図である。
【図１０】同じく本体枠の遊技ユニット装着部に遊技ユニットが装着された状態を後方から示す斜視図である。
【図１１】同じく本体枠を前方から示す斜視図である。
【図１２】同じく本体枠を後方から示す斜視図である。
【図１３】同じく遊技ユニットの構成品を分離して示す斜視図である。
【図１４】同じく遊技ユニットの機械式図柄回転装置と電気式表示装置の装着状態を後方から示す斜視図である。
【図１５】同じく遊技ユニットの機械式図柄回転装置と制御基板ボックスとが収納ボックスによって一括的に収納された状態を後方から示す斜視図である。
【図１６】同じく本体枠の遊技ユニット装着部に遊技ユニットが装着された状態を示す側断面図である。
【図１７】同じく本体枠の遊技ユニット装着部に遊技ユニットが装着された状態を示す平断面図である。
【図１８】同じく本体枠の下部領域に基板ボックスとスピーカが装着された状態を示す平断面図である。
【図１９】同じく本体枠の下部領域のボックス装着部に対し基板ボックスが分離された状態を後方から示す斜視図である。
【図２０】同じく本体枠の下部領域のスピーカボックスに対しスピーカが分離された状態を前方から示す斜視図である。
【符号の説明】
【００６１】
１０  外枠
２１  開閉扉
７０  本体枠
８０  遊技ユニット装着部
１００  遊技ユニット
１０２  回転体収納フレーム
１１０  機械式図柄回転装置
１１１  図柄表示回転体
１２０  主制御基板ボックス
１２１  主制御基板
１２５  副制御基板ボックス
１２６  副制御基板
１３０  電気式表示装置
１３１  電気式表示器
１３２  表示制御基板ボックス
１６０  タンク装着部
１６１  球タンク
１６２  タンクレール装着部
１６３  タンクレール構成部材（タンクレール）
１６５  球払出装置装着部
１６６  球払出装置
１７１  第１ボックス装着部
１７２  第２ボックス装着部
１７５  スピーカボックス
１８１  電源基板ボックス
１８６  払出制御基板ボックス
１９０  スピーカ取付板
１９５  スピーカ
【図１】
2006320480.tif 000003
【図２】
2006320480.tif 000004
【図３】
2006320480.tif 000005
【図４】
2006320480.tif 000006
【図５】
2006320480.tif 000007
【図６】
2006320480.tif 000008
【図７】
2006320480.tif 000009
【図８】
2006320480.tif 000010
【図９】
2006320480.tif 000011
【図１０】
2006320480.tif 000012
【図１１】
2006320480.tif 000013
【図１２】
2006320480.tif 000014
【図１３】
2006320480.tif 000015
【図１４】
2006320480.tif 000016
【図１５】
2006320480.tif 000017
【図１６】
2006320480.tif 000018
【図１７】
2006320480.tif 000019
【図１８】
2006320480.tif 000020
【図１９】
2006320480.tif 000021
【図２０】
2006320480.tif 000022